【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
無線通信デバイスを使用して製品の信ぴょう性を検証する方法であって、
前記製品を収容するパッケージ上の固有コードを読み取る段階と、
前記読み取る段階に応答して、ＧＰＳを使用して前記無線通信デバイスの地理上の位置を識別する段階と、
前記地理上の位置を前記製品の認可売り主のリストと比較する段階と、
前記比較する段階に基づいて前記製品の前記信ぴょう性を決定する段階と、
を含むことを特徴とする方法。
【請求項２】
前記信ぴょう性を決定する前記段階は、前記製品又は前記パッケージの形状又は装飾を信ぴょう性に関して評価する段階を含む、
ことを特徴とする請求項１に記載の方法。
【請求項３】
無線通信デバイスを使用して製品の信ぴょう性を検証するように構成されたシステムであって、
固有コードを含むパッケージと、
前記無線通信デバイスが前記固有コードを読み取るのに応答して該無線通信デバイス上で実行されるように構成されたアプリケーションと、
を含み、
前記アプリケーションは、更に
ＧＰＳを使用して前記無線通信デバイスの地理上の位置を識別し、
前記地理上の位置を前記製品の認可売り主のリストと比較し、かつ
前記比較する段階に基づいて前記製品の前記信ぴょう性を決定する、
ように構成される、
ことを特徴とするシステム。
【請求項４】
前記形状又は前記装飾を評価する段階は、前記製品または前記パッケージの解像度または品質を走査して、前記解像度または前記品質が、信ぴょう性のある解像度または品質に対応することを検証する段階を含む、
請求項２に記載の方法。
【請求項５】
走査する段階は、隠れた画像ウォーターマークがないかを検査する段階を含む、
請求項４に記載の方法。
【請求項６】
前記アプリケーションは、製品またはパッケージの形状または装飾を信ぴょう性に関して評価するように構成される、
請求項３に記載のシステム。
【請求項７】
前記アプリケーションは、前記製品または前記パッケージの解像度または品質を走査して、前記解像度または前記品質が、信ぴょう性のある解像度または品質に対応することを検証するように構成される、
請求項６に記載のシステム。
【請求項８】
前記アプリケーションは、隠れた画像ウォーターマークがないかを検査するように構成される、
請求項６に記載のシステム。
【手続補正２】
【補正対象書類名】明細書
【補正対象項目名】００８６
【補正方法】変更
【補正の内容】
【００８６】
本発明の説明は、制限ではなく一例又は例示として実施することができる。実施形態は、組み合わせることができ、他の実施例又は実施形態を利用することができ、又は構造的、論理的、及び機械的な変更を本出願の主張する特徴の範囲及び精神から逸脱することなく行うことができる。この説明は、限定的な意味で解釈しないものとする。以上の説明は、例示的であり、かつ制限的なものではないように意図している。従って、上述の実施形態及び態様を互いに組み合わせて使用することができる。他の実施形態は、以上の説明を読んだ後に当業者に明らかであろう。本出願の以上の記述は、当業者が本出願の主張する特徴を形成して使用することを可能にするが、当業者は、本明細書の特定の実施形態、方法、及び実施例の変形、置換、組合せ、同等手段、及び均等物の存在を理解及び認識するであろう。従って、本出願は、上述の実施形態、方法、及び実施例ではなく、主張するような本出願の範囲及び精神内の全ての実施形態及び方法によって限定されるべきである。
本発明は、以下のような態様とすることができる。
（１）製品を収容するパッケージの内容物に対応する個人化体験を無線通信デバイス上に与える方法であって、製品を収容するパッケージ上の固有コードを読み取る段階と、個人化幻影画像を前記無線通信デバイス上に表示する段階と、前記パッケージとカメラの間の相対移動に応答して前記個人化幻影画像を変更する段階と、を含むことを特徴とする方法。
（２）固有コードを有するパッケージと無線通信デバイスとの間のゲーム対話をする方法であって、前記固有コードを読み取る段階と、前記読み取る段階に応答してゲーム画像を表示する段階と、前記ゲーム対話の結果を決定する前記パッケージの前記無線通信デバイスに対する物理的移動に応答して、前記ゲーム画像を修正する段階と、を含むことを特徴とする方法。
（３）ゲーム画像を表示する前記段階は、対話型ギャンブルゲームに対応するゲーム画像を表示する段階を含み、該ゲーム画像を修正する前記段階は、該ゲーム画像を修正して転がるサイコロ、ルーレット盤の周りを転がるボール、回転するスロットマシンホイール、及びトランプのうちの少なくとも１つを表示する段階を含むことを特徴とする上記（２）に記載の方法。
（４）前記ゲーム画像を修正する前記段階は、該ゲーム画像を修正し、スティック、テニスラケット、野球バット、クリケットバット、ゴルフクラブ、人の脚、人の腕、及び武器のうちの１つであるゲーム用具を振ることを表示する段階を含むことを特徴とする上記（２）に記載の方法。
（５）前記ゲーム画像を修正する前記段階は、キャラクターの画像をアニメ化する段階を含むことを特徴とする上記（２）に記載の方法。
（６）前記ゲームが多競技者ゲームであるように、該ゲームのリモートユーザから情報を受信する段階を更に含むことを特徴とする上記（２）に記載のゲーム方法。
（７）無線通信デバイスを使用してゲーム対話を容易にするように構成されたシステムであって、固有コードを含むパッケージと、前記無線通信デバイスが前記固有コードを読み取るのに応答して該無線通信デバイス上で実行されるように構成されたアプリケーションと、を含み、前記アプリケーションは、更にゲーム画像を表示し、かつ前記ゲーム対話の結果を決定する、前記パッケージの前記無線通信デバイスに対する物理的移動に応答して、前記ゲーム画像を修正する、ように構成される、ことを特徴とするシステム。
（８）無線通信デバイス上のバウチャー情報に基づいてクレジットを登録する方法であって、パッケージ上にマーク付けされた固有コードを読み取る段階と、前記読み取る段階に応答して、前記新しい購入バウチャー情報を既存のバウチャー情報に組み込む段階と、を含むことを特徴とする方法。
（９）前記パッケージは、スクリーン面を含み、方法が、前記ゲーム画像を前記スクリーン面上に表示する段階、を更に含む、ことを特徴とする上記（８）に記載の方法。
（１０）前記スクリーン面は、カードであることを特徴とする上記（８）に記載の方法。
（１１）前記既存のバウチャー情報は、前記無線通信デバイス上に格納されることを特徴とする上記（１０）に記載の方法。
（１２）前記読み取る段階は、前記パッケージが開封された後に限り実行されることを特徴とする上記（１０）に記載の方法。
（１３）前記新しい購入バウチャー情報の価値を決定する対話型ゲームに対応する画像を表示する段階を更に含むことを特徴とする上記（１０）に記載の方法。
（１４）前記対話型ゲームの第１のユーザの結果を第２のユーザの結果の結果と比較する段階を更に含むことを特徴とする上記（１３）に記載の方法。
（１５）前記比較する段階に基づいて少なくとも前記第１のユーザ及び前記第２のユーザをランク付けする段階を更に含むことを特徴とする上記（１４）に記載の方法。
（１６）前記比較する段階に基づいて前記バウチャーの価値を決定する段階を更に含むことを特徴とする上記（１５）に記載の方法。
（１７）無線通信デバイス上のバウチャー情報に基づいてクレジットを登録するように構成されたシステムであって、固有コードを含むパッケージと、前記無線通信デバイスが前記固有コードを読み取るのに応答して該無線通信デバイス上で実行されるように構成されたアプリケーションと、を含み、前記アプリケーションは、更に、前記新しい購入バウチャー情報を既存のバウチャー情報に組み込むように構成される、ことを特徴とするシステム。
（１８）再購入オプションを無線通信デバイス上に表示する方法であって、製品を収容するパッケージ上にある固有コードを読み取る段階と、ＧＰＳを使用して前記無線通信デバイスの地理上の位置を識別する段階と、前記地理上の位置に対応する前記製品の再購入オプションに関する情報を表示する段階と、を含むことを特徴とする方法。
（１９）情報を表示する前記段階は、前記地理上の位置の予め決められた距離内の任意的な製品の入手可能性に関する情報を表示する段階を含むことを特徴とする上記（１８）に記載の方法。
（２０）情報を表示する前記段階は、追加の製品提示に関する及び／又は入手可能性情報が提供されるかに関する情報を表示する段階を含むことを特徴とする上記（１８）に記載の方法。
（２１）無線通信デバイス上に再購入オプションを表示するように構成されたシステムであって、固有コードを含むパッケージと、前記無線通信デバイスが前記固有コードを読み取るのに応答して該無線通信デバイス上で実行されるように構成されたアプリケーションと、を含み、前記アプリケーションは、更に製品を収容するパッケージ上にある固有コードを読み取り、ＧＰＳを使用して前記無線通信デバイスの地理上の位置を識別し、かつ前記地理上の位置に対応する前記製品の再購入オプションに関する情報を表示する、ように構成される、ことを特徴とするシステム。
（２２）固有コードを有するパッケージに関連付けられた贈り物メッセージを無線通信デバイス上で受信する方法であって、前記固有コードを読み取る段階と、贈り主によって与えられた事前入力メッセージである前記贈り物メッセージに対応する画像を表示する段階と、を含むことを特徴とする方法。
（２３）前記コードは、前記パッケージの少なくとも一部の除去又は開封の後に限り走査用にアクセス可能であることを特徴とする上記（２１）に記載の方法。
（２４）前記事前入力メッセージは、前記贈り主による購入時に記録されることを特徴とする上記（２３）に記載の方法。
（２５）贈り物メッセージを無線通信デバイス上に表示するように構成されたシステムであって、固有コードを含むパッケージと、前記無線通信デバイスが前記固有コードを読み取るのに応答して該無線通信デバイス上で実行されるように構成されたアプリケーションと、を含み、前記アプリケーションは、更にＧＰＳを使用して前記無線通信デバイスの地理上の位置を識別し、かつ製品の再購入オプションに関する情報を表示する、ように構成される、ことを特徴とするシステム。
（２６）品質情報を提供するように構成されたパッケージであって、容器の少なくとも１つの環境条件に応答して固有コードを表示するように構成された変更可能なマークを含む容器と、前記容器内に封入された製品と、を含み、前記少なくとも１つの環境条件に応答する前記変化は、前記製品の前記少なくとも１つの環境条件に対する変化を反映し、該少なくとも１つの環境条件は、温度範囲、時間−温度条件、及び特定の波長の光のうちの少なくとも１つを含む、ことを特徴とするパッケージ。
（２７）無線通信デバイスを使用して製品の信ぴょう性を検証するように構成されたシステムであって、固有コードを含むパッケージと、前記無線通信デバイスが前記固有コードを読み取るのに応答して該無線通信デバイス上で実行されるように構成されたアプリケーションと、を含み、前記アプリケーションは、更にＧＰＳを使用して前記無線通信デバイスの地理上の位置を識別し、前記地理上の位置を前記製品の認可売り主のリストと比較し、かつ前記比較する段階に基づいて前記製品の前記信ぴょう性を決定する、ように構成される、ことを特徴とするシステム。
（２８）前記マークは、前記少なくとも１つの環境条件に応答してその形態を変えて前記固有コードを表示する少なくとも１つの層によって形成されることを特徴とする上記（２７）に記載のパッケージ。
（２９）前記少なくとも１つの層は、その形態を一時的に変えることを特徴とする上記（２６）に記載のパッケージ。
（３０）前記少なくとも１つの層は、その形態を恒久的に変えることを特徴とする上記（２６）に記載のパッケージ。
（３１）前記マークは、人間の見る者には実質的に不可視であって且つ機械可読であるように構成されることを特徴とする上記（２７）に記載のパッケージ。
（３２）前記マークは、パッケージの向きと無関係に無線通信デバイスによって可読であることを特徴とする上記（２７）に記載のパッケージ。
（３３）在庫を管理するように構成された在庫システムであって、棚と、前記棚上に配置されたスマート面と、を含み、前記スマート面は、パッケージ上の固有コードを読み取って、かつ前記パッケージの残りの保管寿命を決定し、棚の補充の必要性を決定し、かつ前記パッケージに関連する潜在的な問題を警告する、ことを容易にするために、前記パッケージに関する情報を転送かつ受信するように構成される、ことを特徴とするシステム。
（３４）包装された製品を製造する方法であって、マークを含むパッケージ内に製品を導入する段階と、前記パッケージを閉じる段階と、予め決められた処理に従って前記パッケージを処理し、予め決められた時間−温度条件が処理段階中に満たされたか否かを示すために、前記マークを変えて固有コードを表示する段階と、前記予め決められた時間−温度条件が前記処理段階中に満たされたか否かを決定する段階と、を含むことを特徴とする方法。
（３５）容器を製造する方法であって、前記容器を形成する段階と、固有コードを用いて前記容器をマーク付けする段階と、を含むことを特徴とする方法。
（３６）前記容器は、コーティングを有する金属容器であり、前記マーク付けする段階は、該コーティングを除去する段階を含むことを特徴とする上記（３４）に記載の方法。
（３７）前記容器は、コーティングを有する金属容器であり、前記マーク付けする段階は、該コーティングにエッチングする段階を含むことを特徴とする上記（３４）に記載の方法。
（３８）前記容器は、コーティングを有する金属容器であり、前記マーク付けする段階は、該コーティング内のエネルギ反応要素を活性化する段階を含むことを特徴とする上記（３４）に記載の方法。
（３９）容器を製造する方法であって、前記容器を位置決めする段階と、前記容器を製品で充填する段階と、固有コードを用いて前記容器をマーク付けする段階と、を含むことを特徴とする方法。